(57)【特許請求の範囲】
【請求項１】
表示器と、前記表示器を収容するハウジングと、前記ハウジングに固定される保護カバーと、を備え、前記保護カバーを透して前記表示器を視認する表示装置であって、
前記保護カバーは、透光性基材と、前記透光性基材の表面に形成された低反射層と、前記透光性基材の周縁に固定された第一の加飾部と、を有し、
前記第一の加飾部は、前記低反射層が形成されていない前記透光性基材の前記表面の露出部に固定されていることを特徴とする表示装置。
【請求項２】
前記第一の加飾部は、両面粘着テープにて、前記透光性基材の前記表面の前記露出部に固定されていることを特徴とする請求項１に記載の表示装置。
【請求項３】
前記保護カバーは、前記透光性基材を貫通する溶着ピンによって固定された第二の加飾部を有することを特徴とする請求項１または請求項２に記載の表示装置。
【発明の詳細な説明】
【技術分野】
【０００１】
本発明は、保護カバーを透して表示器を視認する表示器に関するものである。
【背景技術】
【０００２】
従来より、低反射層を設けることによって表面反射を抑制し、視認性を向上させた表示装置が種々提案されており、例えば特許文献１に開示されている。低反射層としては、ＡＲ（Anti Reflection）フィルムや、微細な凹凸形状により表面反射を抑制するモスアイフィルム等が知られている。
【先行技術文献】
【特許文献】
【０００３】
【特許文献１】特開２０１２−１８５３３８号公報
【発明の概要】
【発明が解決しようとする課題】
【０００４】
しかしながら、低反射層は他の部材との密着性が低いため、低反射層を設けた保護カバーに加飾部を貼着したときに、加飾部が保護カバーから剥離してしまう虞があった。
本発明は、加飾部が外れる虞が少ない保護カバー部材を備えた表示装置を提供するものである。
【課題を解決するための手段】
【０００５】
本発明は、表示器１，６と、前記表示器１，６を収容するハウジング３と、前記ハウジング３に固定される保護カバー２と、を備え、前記保護カバー２を透して前記表示器１，６を視認する表示装置であって、前記保護カバー２は、透光性基材２ａと、前記透光性基材２ａの表面に形成された低反射層２ｂと、前記透光性基材２ａの周縁に固定された第一の加飾部２ｐと、を有し、前記第一の加飾部２ｐは、前記低反射層２ｂが形成されていない前記透光性基材２ａの前記表面の露出部２ｋに固定されているものである。
【０００６】
また、本発明は、前記第一の加飾部２ｐは、両面粘着テープ２ｓにて、前記透光性基材２ａの前記表面の前記露出部２ｋに固定されているものである。
【０００７】
また、本発明は、前記保護カバー２は、前記透光性基材２ａを貫通する溶着ピン２ｇによって固定された第二の加飾部２ｄを有するものである。
【発明の効果】
【０００８】
低反射層がなく、透光性基材が露出した個所に加飾部を固定することにより、加飾部が保護カバーから外れる虞が少ない。
【図面の簡単な説明】
【０００９】
【図１】本発明の実施形態を示す断面図。
【図２】同上実施形態を示す正面図。
【図３】同上実施形態を示す断面図。
【図４】同上実施形態を示す要部拡大断面図。
【図５】同上実施形態を示す要部拡大断面図。
【発明を実施するための形態】
【００１０】
以下、添付図面に基づいて、本発明の一実施形態を説明する。車両用表示装置は、液晶表示器（表示器）１，保護カバー２，ハウジング３，回路基板４，見返し部５，指針式計器（表示器）６を備えている。
【００１１】
液晶表示器１は、ＴＦＴ型フルカラーＬＣＤパネル１ａ及びバックライトモジュール（図示しない）を筺体１ｂに収納したものであり、略平板形状になっている。液晶表示器１の筺体１ｂは、支持部１ｃを有しており、この支持部１ｃにて液晶表示器１が回路基板４の前面に固定されている。液晶表示器１の画面には、積算走行距離，ナビゲーション情報等の車両情報が画像で表示される。
【００１２】
保護カバー２は、湾曲形状になっており、車両用表示装置を視認する者から見て凹形状（液晶表示器１に向かって凸形状）になっている。車両運転者は、保護カバー２を透して、液晶表示器１の画面や、指針式計器６を視認する。保護カバー２は、図示しない係止片によってハウジング３の周壁部３ｂに係止されている。
【００１３】
ハウジング３は、ポリプロピレン等の樹脂からなるものであり、底壁部３ａ及び周壁部３ｂを有している。ハウジング３の底壁部３ａと周壁部３ｂとは、一体形成されており、液晶表示器１，回路基板４，見返し部５を収納する。ハウジング３の底壁部３ａには、前方に突出する突出部３ｆが形成されており、この突出部３ｆに回路基板４が支持されている。
【００１４】
回路基板４は、ガラスエポキシ樹脂からなる基材に銅箔からなる配線パターンを形成したものであり、ハウジング３に収納されている。回路基板４は、図示しない配線部材によって液晶表示器１に接続されている。回路基板４には、液晶表示器１を駆動するマイコン，表示コントローラ等が搭載されている。見返し部５は、不透明な樹脂からなるものであり、後述する指標部４１を囲う円筒状になっている。
【００１５】
指針式計器６は、指針１０と、ケース体３０と、表示板４０と、を備えている。本実施形態では、２個の指針式計器６が液晶表示器１の左右両側に配設されている。
【００１６】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。指針１０のボス部１３及び指針座１４は、黒色樹脂にて一体形成されている。
【００１７】
回路基板４には、指針駆動部２２，発光素子２４，２５が実装されている。指針駆動部２２は、可動磁石式駆動装置，ステッピングモータ等からなるものである。指針駆動部２２の回動軸２２ａには、指針１０が取り付けられる。指針１０のボス部１３は、表示板４０に形成された貫通孔４０ｃに挿入される。表示板４０の貫通孔４０ｃは、指針駆動部２２の回動軸２２ａに対応する個所に形成されており、表示板４０を貫通している。発光素子２４，２５は、夫々、１個以上の発光ダイオード等によって構成される。発光素子２４は、表示板４０を透過照明する。発光素子２５は、指針１０の指示部１１を光輝させる。
【００１８】
ケース体３０は白色の合成樹脂（例えば、ポリプロピレン）からなり、このケース体３０の後面に回路基板４が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板４の前面に当接している。ケース体３０の垂直部３１は、発光素子２４が発する照明光と、発光素子２５が発する照明光とが混合されることを防ぐ遮光壁になっている。
【００１９】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。
【００２０】
ケース体３０の垂直部３５は、傾斜部３４の外周端に連なる円筒形状になっている。ケース体３０の垂直部３５は、前端が表示板４０の後面に当接し、後端が回路基板４の前面に当接している。
【００２１】
表示板４０は、透光性シートからなる基材の前面に印刷層を形成したものであり、指針１０に指示される指標部４１を有している。表示板４０の指標部４１は、貫通孔４０ｃを中心とした円弧状に配置されている。表示板４０の指標部４１は、発光素子２４が発した照明光によって透過照明される。
【００２２】
次に、図４及び図５に基づいて、保護カバー２について詳述する。保護カバー２は、透光性基材２ａと、表側低反射層（低反射層）２ｂと、裏側低反射層（低反射層）２ｃと、環状加飾部（第二の加飾部）２ｄと、周縁加飾部（第一の加飾部）２ｐとを有している。表側低反射層２ｂ及び裏側低反射層２ｃは、ＡＲフィルム，モスアイフィルム等の光学フィルムからなるものである。
【００２３】
保護カバー２の表側低反射層２ｂは、透光性基材２ａの表面に形成されており、保護カバー２の裏側低反射層２ｃは、透光性基材２ａの裏面に形成されている。保護カバー２の環状加飾部２ｄは、装飾リング２ｆ及び溶着ピン２ｇを有しており、保護カバー２に形成された貫通孔２ｈに溶着ピン２ｇを挿通して溶着することで、環状加飾部２ｄが固定される。環状加飾部２ｄの装飾リング２ｆは、円環状になっており、金属調メッキが施されている。
【００２４】
保護カバー２の貫通孔２ｈは、表側低反射層２ｂ，透光性基材２ａ及び裏側低反射層２ｃを貫通している。保護カバー２の貫通孔２ｈは、表側低反射層２ｂ，透光性基材２ａ及び裏側低反射層２ｃで一貫した同じ大きさであっても良いし、表側低反射層２ｂ及び裏側低反射層２ｃにおける貫通孔２ｈの大きさが、透光性基材２ａにおける貫通孔２ｈの大きさよりも、若干大きくても良い。環状加飾部２ｄの溶着ピン２ｇは、少なくとも１個所に設けられていれば良いが、複数個所に設けられていても良い。
【００２５】
保護カバー２の表面には、表側低反射層２ｂが形成されない露出部２ｋが設けられており、この露出部２ｋに両面粘着テープ２ｓが貼着されている。保護カバー２の周縁加飾部２ｐは、両面粘着テープ２ｓで透光性基材２ａの周縁に固定されている。保護カバー２の周縁加飾部２ｐは、断面三角形状の装飾枠２ｑと、透光性基材２ａの側端面２ｔを覆う枠部２ｒとを有している。保護カバー２の裏面には、裏側低反射層２ｃが形成されない露出部２ｍが設けられており、この露出部２ｍがハウジング３の周壁部３ｂに当接している。
【００２６】
本実施形態は、液晶表示器（表示器）１，指針式計器６（表示器）と、液晶表示器（表示器）１，指針式計器６（表示器）を収容するハウジング３と、ハウジング３に固定される保護カバー２と、を備え、保護カバー２を透して液晶表示器（表示器）１，指針式計器６（表示器）を視認する車両用表示装置であって、保護カバー２は、透光性基材２ａと、透光性基材２ａに形成された表側低反射層（低反射層）２ｂ，裏側低反射層（低反射層）２ｃと、透光性基材２ａが露出した個所に固定された周縁加飾部（第一の加飾部）２ｐと、を有するものであり、透光性基材２ａが露出部２ｋに周縁加飾部２ｐを固定することにより、周縁加飾部２ｐが外れる虞が少ない。
【符号の説明】
【００２７】
１    液晶表示器（表示器）
２    保護カバー
２ａ  透光性基材
２ｂ  表側低反射層（低反射層）
２ｃ  裏側低反射層（低反射層）
２ｄ  環状加飾部（第二の加飾部）
２ｐ  周縁加飾部（第一の加飾部）
２ｓ  両面粘着テープ
２ｇ  溶着ピン
３    ハウジング
４    回路基板
６    指針式計器（表示器）
【図１】
0006651939.tif 000002
【図２】
0006651939.tif 000003
【図３】
0006651939.tif 000004
【図４】
0006651939.tif 000005
【図５】
0006651939.tif 000006